(57)【特許請求の範囲】
【請求項１】
同一のブックブロック（３１...ｎ）から成るロッド状の束状体（１３）を製造するための方法であって、
複数の印刷全紙（１０）を一つのブックブロック（３１…ｎ）にまとめ、同じ向きの複数のブックブロック（３１…ｎ）を、各々印刷全紙（１０）の下側縁部（７）の上で起立させるようにして、二つの端面（ｘ１，ｘ２）と二つの側方の面（ｙ１，ｙ２）、ならびに上側の面と下側の面（ｚ１，ｚ２）を備えた一つのロッド状の束状体（１３）にまとめて押圧し、押圧した後にその位置で固定する方法において、
ブックブロック（３１…ｎ）を異なるフォーマットの少なくとも一つの第一のブック部分（３５１）と少なくとも一つの最後尾のブック部分（３５ｎ）から形成し、
その際に、ブックブロック部分（３５１…ｎ）が形成すべきロッド状の束状体の側方の面（ｙ１，ｙ２）あるいは上側の面もしくは下側の面（ｚ１，ｚ２）において、各々境界面（３６１…ｎ）を備えており、ブックブロック部分（３５１…ｎ）の第一の境界面（３６１…ｎ）が、ロッド状の束状体（１３）の側方の面（ｙ１，ｙ２）あるいは上側の面もしくは下側の面（ｚ１，ｚ２）において、互いに同一平面上で整向され、
従って第一のブックブロック部分（３５１）の第一の境界面（３５１）に対向している第一のブックブロック部分（３５１）の第二の境界面（３６’１…ｎ）を、最後尾のブックブロック部分（３５ｎ）の第一の境界面（３６１…ｎ）に対向している最後尾のブックブロック部分（３５ｎ）の境界面（３６’１…ｎ）に対してずらした状態で突出させることを特徴とする方法。
【請求項２】
切取り部分（４０）が印刷されたペーパーウェブ（４２）から裁断され、かつ様々に折畳まれるか、あるいは長さが異なる  切取り部分（４０）が印刷されたペーパーウェブ（４２）から裁断され、かつ様々に折畳まれることによりブックブロック部分（３５１…ｎ）がその様々な寸法を備えるようになることを特徴とする請求項１記載の方法。
【請求項３】
印刷されたペーパーウェブ（４２）からの切取り部分（４０）を、折畳む前に、印刷されたペーパーウェブ（４２）の走行方向Ｌに対して横方向に、周期的に調節可能な整向要素（９）を用いてずらすことを特徴とする請求項１に記載の方法。
【請求項４】
印刷全紙（１０）の折畳み縁部（５）が下側縁部（７）として使用されるようにロッド状の束状体（１３）を形成する
ことを特徴とする請求項１〜３のいずれか一つに記載の方法。
【請求項５】
印刷全紙（１０）の最後尾の折畳み縁部（５）が、各々下側縁部（７）として使用されるようにロッド状の束状体（１３）を形成することを特徴とする請求項１〜４のいずれか一つに記載の方法。
【請求項６】
ロッド状の束状体（１３）のブックブロック（３）を、各々異なる印刷内容を備えた印刷物（１０）から形成することを特徴とする請求項１〜５のいずれか一つに記載の方法。
【請求項７】
同一のブックブロック（３１...ｎ）から成る束状体（１３）であって、
複数の印刷全紙（１０）が一つのブックブロック（３１...ｎ）にまとめられ、同じ向きの複数のブックブロック（３１...ｎ）が、各々印刷全紙（１０）の下側縁部（７）の上で起立するように二つの端面（ｘ１，ｘ２）と二つの側面（ｙ１，ｙ２）ならびに上側および下側面（ｚ１，ｚ２）を備えた一つのロッド状の束状体（１３）にまとめられ、そして押圧されており、そして押圧後その位置に固定されているロッド状の束状体（１３）において、
ブックブロック（３１...ｎ）が異なるフォーマットの少なくとも一つの第一のブック部分（３５１）と少なくとも一つの最後尾のブック部分（３５ｎ）から形成されており、その際に、ブックブロック（３１...ｎ）が、形成すべき束状体の二つの側面（ｙ１，ｙ２）あるいは上側および下側面（ｚ１，ｚ２）において、各々境界面（３６１…ｎ）を備えており、ブックブロック部分（３５１…ｎ）の第一の境界面（３６１…ｎ）が、ロッド状の束状体（１３）の側方の面（ｙ１，ｙ２）あるいは上側の面もしくは下側の面（ｚ１，ｚ２）において、互いに同一平面上で整向され、従って第一のブックブロック部分（３５１）の第一の境界面（３５１）に対向している第一のブックブロック部分（３５１）の第二の境界面（３６’１…ｎ）が、最後尾のブックブロック部分（３５ｎ）の第一の境界面（３６１…ｎ）に対向している最後尾のブックブロック部分（３５ｎ）の境界面（３６’１…ｎ）に対してずれた状態で突出していることを特徴とするロッド状の束状体（１３）。
【請求項８】
ロッド状の束状体（１３）において、印刷全紙（１０）の折畳み縁部（５）が下側縁部（７）を形成していることを特徴とする請求項７に記載のロッド状の束状体（１３）。
【請求項９】
ロッド状の束状体（１３）において、印刷全紙（１０）の最後尾の折畳み縁部（５）が、各々下側縁部（７）を形成していることを特徴とする請求項８に記載のロッド状の束状体（１３）。
【請求項１０】
ロッド状の束状体（１３）のブックブロック（３１...ｎ）が、各々異なる印刷内容を備えた印刷全紙（１０）から形成されていることを特徴とする請求項７〜９のいずれか一つに記載のロッド状の束状体（１３）。
【請求項１１】
ブックブロック（３１…ｎ）にまとめられる印刷全紙（１０）に加えて、特に追加添付紙、見返し用紙、貼り付けられた見返し用紙を備えた全紙のような別のブック部分（２０）が配置されていることを特徴とする請求項７〜１０のいずれか一つに記載のロッド状の束状体（１３）。
【請求項１２】
印刷全紙（１０）および／またはブックブロック（３１...ｎ）および／またはロッド状の束状体（１３）が、各々を確認するための情報媒体（１９１，１９２，１９３）を備えていることを特徴とする請求項７〜１１のいずれか一つに記載のロッド状の束状体（１３）。
【発明の詳細な説明】
【技術分野】
【０００１】
本発明は、ロッド状の束状体およびこのロッド状の束状体を製造するための方法であって、複数の同一の印刷全紙（Druckbogen）を一つのブックブロックにまとめ、同じ向きの複数のブックブロックを、各々印刷全紙の下側縁部の上で起立させるようにして、前後面と二つの側方の面、ならびに上側の面と下側の面を備えた一つのロッド状の束状体にまとめて押圧し、かつ押圧した後にその位置で固定するロッド状の束状体および方法に関する。このようなロッド状の束状体は印刷全紙を一時貯蔵するために、いわゆるロッド状紙葉収束装置（Stangenausleger）を用いて製造される。この目的で、起立している状態で並列した印刷全紙が、ロッド状の束状体を形成するように集められ、押圧され、そして縛られている。
【背景技術】
【０００２】
本、小型本、および類似の製品のような接着製本された印刷物の製造の際に、公知の方法で第一の工程では必要とされる印刷全紙とブックカバー（Umschlag）が任意の順序で印刷され、かつ中間貯蔵される。引続いて、例えば折畳まれた個別全紙（Einzelbogen）、個別紙葉（Einzelblatt）、追加添付紙（Beilage）、見返し（Vorsatzbogen）あるいは貼り付けられた見返し用紙を備えた全紙であってもよい、種類が同じかあるいは異なっている印刷された印刷全紙は、正しい順序でばらのブックブロックにまとめられ、そして接着製本機に供給され、それにより印刷全紙は背の中で綴じられ、表紙または折畳み条片（Falzelstreifen）と一緒に張付けられる。印刷工程を製本工程から分離することにより、両工程はその相応する最適な速度でもって実施可能である。短所としては、印刷全紙とブックカバーがすべて印刷されている場合に、製本工程を行うことができるが、それにより比較的大規模の印刷全紙とブックカバーの貯蔵を必要とすることが明らかになる。
【０００３】
さらに、本の全ページを連続して印刷し、その後、接着製本機に直接供給できる完全なばらのブックブロックを引渡す印刷機が知られている。特許文献１からは、このような印刷機が知られている。実際はめったに使用されないこの方法により、印刷される印刷全紙の中間貯蔵は回避できる。そのためには極めて高価な印刷機が必要とされる。さらにこの方法は、発行部数（Auflagen）が極めて多い場合にだけ経済的であり、得られる印刷の品
質は悪い。
【０００４】
少し前から、同様に本の全ページを連続して印刷し、その後、さらに別の操作をせずとも製本することができる完全なばらのブックブロックを引渡すデジタル印刷機が知られている。デジタル印刷機により、異なる内容を有する完全なブックブロックを自由選択で連続して製造することがそれに応じて可能である。デジタル印刷機の他の長所は、印刷版が一切必要とされないことにある。印刷版の製作にかかるコストを防ぐことに加えて、同様に印刷版の入替えに必要な中断もなくなる。ブックブロックを形成している印刷全紙あるいは個別紙葉は、堆積体として並べて置かれ、例えばパレット上に互いにずらして整理され、それにより印刷全紙あるいは紙葉は、後で再度簡単な方法で手作業で互いに分けられる。代替えとして、中間貯蔵により互いに分離されているブックブロックの完全な場所を形成してもよい。このように積重ねられたブックブロックは、接着製本機に供給される前に、随意長い間貯蔵できる。
【０００５】
ばらの堆積体をパレットに降ろすことは、手作業であるいはいわゆるパレタイザを使って自動で行うことができる。このような装置は、特許文献２に開示されている。置いてある印刷物のばらの堆積体は、その後でパレットから手作業で再度取出され、かつ接着製本機の供給領域に納められる。この解決手段の短所としては、ばらのブックブロックが折り目の領域内であまりにちょっとしか押圧されておらず、これにより厚い製品が折り目領域では平らな部分よりも実質的に厚いことが知られている。さらに下側のブックブロックは最も強く押圧され、上側のブックブロックはそもそも押圧されない。不完全に、あるいはばらばらの強さで押圧されたブックブロックは、後に続く処理において大きな問題となるか、あるいは後に続く処理が困難になる。
【０００６】
特許文献３には、堆積体の印刷全紙を縁部領域において交互に貼り付けることが提案されている。これにより、後の時点で後に続く処理の前に、堆積体が再度明らかに互いに分離するおそれがあるという事態になる。この方法においても、すでに言及した短所でもって、印刷全紙は不均一にあるいはあまりにちょっとしか押圧されない。さらに接着製本機にある貼り付けられた印刷全紙はもはや相互に整向できない。別の短所により、三方向裁断機における裁断が終了する際に強制的に裁断せざるを得ず、従って紙の消費を実質的に高める可能性がある、貼付けに必要な印刷全紙の面が形成される。別の短所は、接着剤が印刷全紙に塗布されている箇所で堆積体が厚くなることにより生じ、それにより後に続く処理が困難になる。
【０００７】
さらに印刷全紙をその平坦な側の間の代わりにその前面で互いに貼り付けることが知られている。すでに述べたこのような接着（Beleimung）のすでに述べた短所に加えて、この方法の場合、接着剤が後に続く処理において紙案内部に沈積し、それによって機械の故障ならびに洗浄費の浪費が生じるという短所がさらに付け加わる。
【０００８】
印刷全紙の堆積体をパレットあるいは類似の装置上で貯蔵する代わりに、同様にして、印刷機が接着製本機と一列になって駆動される方法が知られている。これまで述べた印刷機械は連続的に印刷できるので、印刷機と後に続く処理の間には滞留区間が設けられていてもよく、後に続く処理の置換えの間に印刷されるブックブロックを個別に貯蔵するために、印刷機械の滞留容量は十分である。追加の滞留容量は、後に続く処理が何らかの理由から静止状態にある場合のために設けるべきである。代替えとして、このような段階に印刷されるブックブロックを導出し、かつ後で再度供給することもできる。
【０００９】
特許文献４は平坦な印刷物から成る積載形式の装置を開示しており、その際に印刷物は堆積体の状態ですべて一様に整向されている。印刷物の四つの側の一つは、他の側よりも厚い。その理由は、例えば印刷物がこの側で折り目あるいはいわゆるホチキスの針を備えていることにある。この堆積体は、交互に１８０°だけ互いにずれた部分堆積体から形成されているかの堆積体のように同様に安定しているように、ここで部分堆積体はより厚い側に対して横方向に互いに交互にずらされる。この場合、部分堆積体は下側縁部に対して垂直に堆積体の高さの方向にずらされる。このように構成された堆積体は、印刷物が堆積体の内側で厚い側の領域において様々な強さで押圧され、それによって押圧された折り目領域が扇状に広がりやすいという短所を有する。
【先行技術文献】
【特許文献】
【００１０】
【特許文献１】米国特許出願公開第３５１８９４号明細書
【特許文献２】欧州特許出願公開第２０９８４６５号明細書
【特許文献３】欧州特許出願公開第２１５９０７０号明細書
【特許文献４】欧州特許出願公開第１９５０１５９号明細書
【特許文献５】欧州特許出願公開第６２３５４２号明細書
【発明の概要】
【発明が解決しようとする課題】
【００１１】
本発明の根底をなす課題は、集められたブックブロックが貯蔵時に均一に押圧され、かつ後の処理ために再度互いに正確に分離されているように積載される方法を提供することにある。その際に、ブックブロックを貯蔵しかつ滞留するために、できる限りわずかな空間を必要とすべきである。この場合、ブックブロックの積載体は印刷機と糊付け製本ラインのインライン作業とオフライン作業のために使用できるべきである。
【課題を解決するための手段】
【００１２】
この課題は、本発明に従い、ブックブロックを異なるフォーマットの少なくとも一つの第一のブック部分と少なくとも一つの最後尾のブック部分から形成し、
その際に、ブックブロック部分が形成すべきロッド状の束状体の側方の面あるいは上側の面もしくは下側の面において、各々境界面を備えており、ブックブロック部分の第一の境界面が、ロッド状の束状体の側方の面あるいは上側の面もしくは下側の面において、互いに同一平面上で整向され、
従って第一のブックブロック部分の第一の境界面に対向している第一のブックブロック部分の第二の境界面を、最後尾のブックブロック部分の第一の境界面に対向している最後尾のブックブロック部分の境界面に対してずらした状態で突出させることにより解決される。少なくとも薄いブックブロック部分の側方の境界面は、側面縁部とも呼ばれる。この方法に従い結果として生じるロッド状の束状体の内側に形成されるブックブロックに対してブックブロックを側方にずらすことにより明確な分離位置が生じ、この分離位置によってばらのブックブロックに互いに確実に分離することが後において可能になる。まず第一に、ロッド状の束状体の形態でブックブロックをこのように貯蔵することによって、ブックブロックと印刷全紙は同じ力で押圧されていること、そしてブックブロックを取出すまでに、遅れた時点まで、例えば後の処理の直前まで個別のブックブロックの変形は全く生じない。
【００１３】
切取り部分が印刷されたペーパーウェブ（Papierbahn）から裁断され、かつ様々に折畳まれるか、あるいは長さが異なる  切取り部分が印刷されたペーパーウェブから裁断され、かつ様々に折畳まれることによりブックブロック部分がその様々な寸法を備えるようになると有利であることがわかる。その際に、印刷されたペーパーウェブからの切取り部分を、折畳む前に、印刷されたペーパーウェブの走行方向Ｌに対して横方向に、周期的に調節可能な整向要素を用いてずらすことができる。それに伴って、折畳まれた切取り部分の辺（Schenkellange）の長さは要求に応じて変えることができる。
【００１４】
さらに、印刷全紙の折畳み縁部を下側縁部として使用されるようにロッド状の束状体を形成するようにブックブロックが集められると有利であることが明らかになる。折畳まれた印刷全紙において、最後尾の折畳み縁部であることを特徴とする、折り畳み処理の経過において最後に生じる折畳み縁部を下側縁部として使用すると特に有利である。その理由は、印刷全紙の機械的な負荷能力が最大であることにある。
【００１５】
本発明の他の形態において、ロッド状の束状体の折畳み縁部を、各々異なる印刷内容を備えた印刷全紙から形成することができる。この場合に印刷全紙は、異なる内容を備えた、自由選択で相前後して全てが揃ったブックブロックを製造できる例えばデジタル印刷機の手になる。
【００１６】
記載された方法により、ブックブロックから成る束状体が製造することができ、ブックブロックが異なるフォーマットの少なくとも一つの第一のブック部分と少なくとも一つの最後尾のブック部分から形成されており、その際に、ブックブロックが、形成すべき束状体の二つの側面あるいは上側および下側面において、各々境界面を備えており、ブックブロック部分の第一の境界面が、ロッド状の束状体の側方の面あるいは上側の面もしくは下側の面において、互いに同一平面上で整向される。本発明によれば、このような束状体において、第一のブックブロック部分の第一の境界面に対向している第一のブックブロック部分の第二の境界面は、最後尾のブックブロック部分の第一の境界面に対向している最後尾のブックブロック部分の境界面に対してずらした状態で突出している。
【００１７】
折畳み縁部、特に印刷全紙の最後尾の折畳み縁部はロッド状の束状体において、下側縁部を形成しているのが好ましい。ロッド状の束状体のブックブロックが各々、例えばデジタル印刷機により異なる印刷内容でもって印刷されている印刷全紙から形成されている場合、ロッド状の束状体のブックブロックは各々、異なる印刷内容を備えていてもよい。
【００１８】
本発明によるロッド状の束状体の他の形態において、ブックブロックにまとめられる印刷全紙に加えて、特に追加添付紙、見返し用紙、貼り付けられた見返し用紙を備えた全紙のような別のブック部分（２０）が配置されていてもよい。
【００１９】
印刷全紙および／またはブックブロックおよび／またはロッド状の束状体が、各々を確認するための情報媒体を備えていると有利であることが明らかになる。これにより、その後の処理において、各個別のロッド状の束状体あるいはその構成部品には個々の処理が割当てられる。
【００２０】
本発明を以下に図および引用された従来技術に関連付けて実施例に基づいて説明する。
【図面の簡単な説明】
【００２１】
【図１】ロッド状の束状体を製造するための本発明による方法の概略斜視図である（長さの異なる印刷全紙）。
【図１ａ】個別の印刷全紙を示す図である。
【図２】ロッド状の束状体を製造するための本発明による変形の一概略図である（印刷全紙が異なって折畳まれる）。
【図３】ブックブロックから形成されたロッド状の束状体を示す図である（長さの異なる印刷全紙）。
【図４】ブックブロックから形成されたロッド状の束状体の変形を示す図である（印刷全紙が異なって折畳まれる）。
【図５】部分ブックブロックから形成されたロッド状の束状体の拡大図である。
【発明を実施するための形態】
【実施例】
【００２２】
図１には直列に接続された印刷機４を備えたロッド状の束状体形成機６の実施例が示してある。印刷機４、例えばデジタル印刷機は、できた本の構成の順番で、印刷後に切取り部分４０内で切断される巻取紙３９から繰り出されるペーパーウェブ４２に印刷する。印刷全紙とも呼ばれているこの切取り部分４０は、折り畳み機３７内で折畳まれるかあるいは折畳まれていない印刷全紙１０として鱗状流１１内で並べて置かれてもよい。印刷全紙１０は、図１に示したような、折り目縁部５であってもよい下側縁部７を備えている。
【００２３】
折畳み装置３７は、図１においては刀状部材型折畳み工具（Schwertfalzwerk）として示してあり、切取り部分４０は刀状部材を用いて二つの折畳みローラの間に搬送され、かつ折畳み装置により折畳まれる。切取り部分４０の異なるフォーマットは、異なる長さの切り取り部分４０が印刷されたペーパーウェブから裁断されるか、あるいは切取り部分４０が異なって折畳まれることにより得られる。
【００２４】
図１に示したように走行方向Ｌで異なる長さの切取り部分４０が裁断され、折畳まれる前に固定されたストッパ８で整向される。長い切取り部分４０はその後、ストッパ８に対向した側で鱗状流１１およびロッド状の束状体１３から突出する。このような束状体を図３に示してある。例えばここでは束状体１３の内部には情報媒体１９１，１９２，１９３があり、これらの情報担持体はどこに置かれているのかに応じて印刷全紙１０および／またはブックブロック３１…ｎおよび／または束状体１３の識別に使用される。
【００２５】
代替えとして、図２による切取り部分４０は折畳まれる前に、走行方向Ｌで周期的に調節可能な整向要素を用いてずらされ、それに伴って、折畳まれた切取り部分の辺（Schenkellange）の長さは要求に応じて変えることができる。このように折畳まれた切取り部分から成る束状体１３を図４に示してある。
【００２６】
鱗状流１１は移送方向で鱗状流コンベア３８により束状体形成部６まで移送され、ここで積重ねられて一つの束状体１３にされ、この束状体は端部板１４を両端に備えており、調節可能な力で押圧され、そして締付け要素（Zugelement）１５により捕捉される。鱗状部１２互いにずらすことにより、ブックブロック３１…ｎはロッド状の束状体１３内で同様に互いにずれた状態で積重ねられる。捕捉されたロッド状の束状体１３には、圧縮力が維持されたままであり、これによりロッド状の束状体１３内に含まれる印刷全紙１０はすべて同じ力で挟まれた状態を保つ。挟むことにより、ブックブロック３１…ｎの跳ね返りは折り目の領域では締付け要素１５が緩んだ際に実質的に減り、それによってブックブロック３１…ｎはさらに加工している間、より高い製品の品質を得ることができる。その理由は、ブックブロック３１…ｎの変形がもはや生じないことにある。ロッド状の束状体を形成する機械６として、例えばこのような類の装置は、特許文献５に従って使用することができる。スライダ１６は締付けられたロッド状の束状体１３を引き続きスライド方向Ｓに例えば滞留装置（Puffervorrichtung）までスライドさせる。
【００２７】
ロッド状の束状体１３を押圧しかつ安定させるために、端部板１４と締付け要素１５の代わりに同様に別の装置が考えられる。例えばロッド状の束状体１３を再度使用可能なクリップを用いてまとめて、かつ押圧することができ、その際にクリップは開放後自動であるいは手作業で束状体を形成する機械６まで導き戻すことができる。
【００２８】
図５には同一のブックブロック３１…ｎから成る束状体１３の原理的な構成、言い換えれば包含された印刷全紙１０のフォーマットの順番の観点と同一の構成が示してあり、これらの印刷全紙１０の内の複数は一つのブックブロック３１…ｎにまとめられ、
同じ向きの複数のブックブロック３１…ｎは、各々印刷全紙１０の下側縁部７の上で起立させるようにして、二つの端面と二つの側方の面ｘ１，ｘ２；ｙ１，ｙ２、ならびに上側の面と下側の面ｚ１，ｚ２を備えた一つのロッド状の束状体１３にまとめて押圧されている。ブックブロック３１…ｎは、異なるフォーマットの少なくとも一つの第一のブック部分３５１と少なくとも一つの最後尾のブック部分（３５ｎ）から形成されている。その際に、ブックブロック部分３５１…ｎが形成すべきロッド状の束状体の側方の面ｙ１，ｙ２あるいは上側の面もしくは下側の面ｚ１，ｚ２において、各々境界面３６１…ｎを備えており、ブックブロック部分３５１…ｎの第一の境界面３６１…ｎが、ロッド状の束状体１３の側方の面ｙ１，ｙ２あるいは上側の面もしくは下側の面ｚ１，ｚ２において、互いに同一平面上で整向されている。その際に、第一のブックブロック部分３５１の第一の境界面３５１に対向している第一のブックブロック部分３５１の第二の境界面３６’１…ｎは、最後尾のブックブロック部分３５ｎの第一の境界面３６１…ｎに対向している最後尾のブックブロック部分３５ｎの境界面３６’１…ｎに対してずれた状態で突出している。
【図１】
0005954820.tif 000002
【図１ａ】
0005954820.tif 000003
【図２】
0005954820.tif 000004
【図３】
0005954820.tif 000005
【図４】
0005954820.tif 000006
【図５】
0005954820.tif 000007